(57)【要約】【課題】所望の位置と大きさを持つＲＯＩを超音波画像上に容易に設定することの出来る超音波診断装置を提供する。【解決手段】タッチパネルによる入力手段を備えた画像表示部１０１と、前記画像表示部への入力内容をＲＯＩ入力またはそれ以外に切り替えるＲＯＩ入力状態切り替え部１０２と、ＲＯＩ入力状態時に超音波画像上の入力を保持するＲＯＩ入力保持部１０３と、前記ＲＯＩ入力保持部に保持された入力情報から閉曲線を推定する閉曲線構築部１０４と、前記閉曲線構築部で推定された閉曲線を囲み音響線に沿った大きさと形状のＲＯＩを閉曲線の周囲に設定するＲＯＩ設定部１０５と、ＲＯＩ入力保持部の入力完了条件を設定するＲＯＩ入力完了条件設定部１０６とを備え、ＲＯＩ入力状態時において画像表示部に閉曲線を描くことにより、所望の位置に所望の大きさのＲＯＩを設定することができる。【選択図】図１
2009285244.tif 000002
【特許請求の範囲】
【請求項１】
入力手段を備えた画像表示部と、前記画像表示部への入力状態の内容を切り替えるＲＯＩ入力状態切り替え部と、前記入力状態がＲＯＩ入力状態を表す情報であるときに超音波画像上の入力情報を保持するＲＯＩ入力保持部と、前記ＲＯＩ入力保持部の入力完了条件を設定するＲＯＩ入力完了条件設定部と、前記ＲＯＩ入力保持部に蓄積された入力情報から閉曲線を推定する閉曲線構築部と、前記閉曲線構築部で推定された閉曲線を囲み音響線に沿った大きさと形状のＲＯＩを閉曲線の周囲に設定するＲＯＩ設定部とを有し、前記画像表示手段に表示された超音波画像上の任意の部分に任意の大きさの閉曲線を入力することにより前記入力位置に前記入力された大きさのＲＯＩを設定できることを特徴とする超音波診断装置。
【請求項２】
ＲＯＩ入力状態時に複数の閉曲線を保持するＲＯＩ入力保持部と前記ＲＯＩ入力保持部に保持された複数の閉曲線各々の周囲に閉曲線を囲む大きさのＲＯＩを設定するＲＯＩ設定部を有し、超音波画像上に複数箇所のＲＯＩを設定できることを特徴とする請求項１記載の超音波診断装置。
【請求項３】
ＲＯＩ入力状態切り替え部を、画像表示部の超音波画像表示部分以外への入力を検知することで構成し、タッチパネル以外の入力手段を必要としないことを特徴とする請求項１記載の超音波診断装置。
【発明の詳細な説明】
【技術分野】
【０００１】
本発明は、特定の関心領域（ｒｅｇｉｏｎ  ｏｆ  ｉｎｔｅｒｅｓｔ：以下ＲＯＩと略す）の内部の領域にのみ特別な処理を行う超音波診断装置に関する。
【背景技術】
【０００２】
超音波診断装置では、カラードプラ表示など、画像の一部分に関心領域（ＲＯＩ）を設定し当該部分にのみ特別な処理を行う場合がある。超音波画像は、ある方向に超音波を対象に送信し、反射した超音波を受信したもの（音響線）を元に構築されるものであるため、送受信信号の周波数や間隔などを変化させることで特殊処理を実現する場合、ＲＯＩはこの音響線に沿った形状をとることで最も効率的に処理を行うことができる。
【０００３】
従来の超音波診断装置は、図３に示すように、所望の位置と大きさのＲＯＩを設定するために、一旦初期状態のＲＯＩ３０１を表示させたのち、拡大縮小や位置の移動を行うことで所望のＲＯＩ３０２を設定していた（例えば特許文献１参照）。
【特許文献１】特開２００６−６１６９８号公報
【発明の開示】
【発明が解決しようとする課題】
【０００４】
しかしながら従来の超音波診断装置においては、ユーザにはＲＯＩを設定したい所望の位置と大きさが見えて認識しているにも関わらず、初期状態が決まっているため、所望のものとは無関係な位置に表示される初期状態のＲＯＩを拡大縮小や移動をしなければならず作業効率が悪いという問題があった。
【０００５】
本発明は、従来の問題を解決するためになされたものであり、所望の位置と大きさを持つＲＯＩを超音波画像上に容易に作業効率よく設定することの出来る超音波診断装置を提供することを目的とする。
【課題を解決するための手段】
【０００６】
本発明の超音波診断装置は、入力手段を備えた画像表示部と、前記画像表示部への入力状態の内容を切り替えるＲＯＩ入力状態切り替え部と、前記入力状態がＲＯＩ入力状態を表す情報であるときに超音波画像上の入力情報を保持するＲＯＩ入力保持部と、前記ＲＯＩ入力保持部の入力完了条件を設定するＲＯＩ入力完了条件設定部と、前記ＲＯＩ入力保持部に蓄積された入力情報から閉曲線を推定する閉曲線構築部と、前記閉曲線構築部で推定された閉曲線を囲み音響線に沿った大きさと形状のＲＯＩを閉曲線の周囲に設定するＲＯＩ設定部とを有し、前記画像表示手段に表示された超音波画像上の任意の部分に任意の大きさの閉曲線を入力することにより前記入力位置に前記入力された大きさのＲＯＩを設定できる。
【０００７】
この構成により、超音波画像上の任意の位置に閉曲線を描くことで前記閉曲線を囲むＲＯＩを設定することができるので、ユーザは所望の位置に所望の大きさのＲＯＩを容易に作業効率よく設定することができる。
【０００８】
また、本発明の超音波診断装置は、ＲＯＩ入力状態時に複数の閉曲線を保持するＲＯＩ入力保持部と前記ＲＯＩ入力保持部に保持された複数の閉曲線各々の周囲に閉曲線を囲む大きさのＲＯＩを設定するＲＯＩ設定部を有する。
【０００９】
この構成により、一つの超音波画像上の複数の位置にＲＯＩを容易に設定することができる。
【００１０】
また、本発明の超音波診断装置は、ＲＯＩ入力状態切り替え部を、画像表示部の超音波画像表示部分以外の特定部分への入力を検知することで実現する構成を有する。
【００１１】
この構成により、画像表示部の入力手段がタッチパネルだけでありそれ以外の入力手段がない場合でもＲＯＩを容易に設定することができる。
【発明の効果】
【００１２】
本発明は、超音波診断装置にタッチパネルによる入力手段を備えた画像表示部と、前記画像表示部への入力内容をＲＯＩ入力またはそれ以外に切り替えるＲＯＩ入力状態切り替え部と、ＲＯＩ入力状態時に超音波画像上の入力を保持するＲＯＩ入力保持部と、前記ＲＯＩ入力保持部の入力完了条件を設定するＲＯＩ入力完了条件設定部と、前記ＲＯＩ入力保持部に保持された入力情報から閉曲線を推定する閉曲線構築部と、前記閉曲線構築部で推定された閉曲線を囲み音響線に沿った大きさと形状のＲＯＩを閉曲線の周囲に設定するＲＯＩ設定部とを設けることにより、ＲＯＩ入力状態時にタッチパネル上に閉曲線を描くことで、閉曲線を囲むＲＯＩを自動的に設定するという効果を有する超音波診断装置を提供することが出来るものである。
【発明を実施するための最良の形態】
【００１３】
以下、本発明の第１の実施の形態の超音波診断装置について、図面を用いて説明する。
【００１４】
本発明の第１の実施の形態の超音波診断装置を図１に示す。
【００１５】
図１において、超音波診断装置１００は、入力手段としてのタッチパネルを備えた画像表示部１０１と、画像表示部への入力状態の情報（内容）を「ＲＯＩ入力」またはそれ以外（「ＲＯＩ入力以外」）に切り替えるＲＯＩ入力状態切り替え部１０２と、超音波画像上の入力を保持するＲＯＩ入力保持部１０３と、ＲＯＩ入力保持部に保持された入力情報から閉曲線を推定する閉曲線構築部１０４と、前記閉曲線構築部で推定された閉曲線を囲み音響線に沿った大きさと形状のＲＯＩを閉曲線の周囲に設定するＲＯＩ設定部１０５と、ＲＯＩ入力保持部の入力完了条件を設定するＲＯＩ入力完了条件設定部１０６とを有する構成である。
【００１６】
以上のように構成された超音波診断装置について、図１および図２を用いてその動作を説明する。
【００１７】
このような本発明の第１の実施の形態の超音波診断装置によれば、画像表示部１０１に入力がなされた場合、ＲＯＩ入力保持部１０３はＲＯＩ入力状態切り替え部１０２からの状態信号を確認し、「ＲＯＩ入力」状態であれば画像表示部１０１に入力された入力曲線をＲＯＩ入力完了条件設定部１０６に設定された時間だけ入力が途切れるまで保持したのち、入力曲線データを閉曲線構築部１０４に送出する。図２は入力された入力曲線２０２をベースに閉曲線を構築しＲＯＩを設定する一連の流れを示している。
【００１８】
入力曲線データ２０２を受信した閉曲線構築部１０４は、その入力曲線データ２０２をすべて含む閉曲線を推定し、その推定された閉曲線のデータ２０３をＲＯＩ設定部１０５に送出する。閉曲線のデータ２０３を受信したＲＯＩ設定部１０５は、その閉曲線データ２０３を囲みかつ音響線に沿ったＲＯＩ２０４を設定し、画像表示部１０１に表示する。
【００１９】
この動作により、超音波画像上の任意の位置に閉曲線を描くことで前記閉曲線を囲むＲＯＩを設定することができるので、ユーザは所望の位置に所望の大きさのＲＯＩを超音波画像上に容易に作業効率よく設定することができる。
【００２０】
次に、本発明の第２の実施の形態の超音波診断装置は、ＲＯＩ入力状態時に複数の閉曲線を保持するＲＯＩ入力保持部とＲＯＩ入力保持部に保持された複数の閉曲線各々の周囲に閉曲線を囲む大きさのＲＯＩを設定するＲＯＩ設定部を有し、超音波画像上に複数箇所のＲＯＩを同時に設定できる構成であり、ＲＯＩを設定したい箇所が複数個あっても容易に閉曲線を囲むＲＯＩを設定することができるので、ユーザは所望の位置に所望の大きさのＲＯＩを超音波画像上に容易に作業効率よく設定することができる。
【００２１】
さらに、複数のＲＯＩを個々に適宜切換えて順次観測・測定等の操作をできることはもとより、複数のＲＯＩのいずれかをグルーピングして同様に操作することでさらに作業効率を上げることも可能である。
【００２２】
次に、本発明の第３の実施の形態の超音波診断装置は、画像表示部の超音波画像表示部分以外のスペースをＲＯＩ入力状態切り替え部として構成しているので、タッチパネルを入力手段として備えた画像表示部で「ＲＯＩ入力状態切り替え」も可能であり、これ以外の入力手段を必要とせず、操作範囲が分散しないため、作業効率がアップすることとなる。
【産業上の利用可能性】
【００２３】
以上のように、本発明にかかる超音波診断装置は、ＲＯＩ入力状態時にタッチパネル上に閉曲線を描くことで、閉曲線を囲み音響線に沿ったＲＯＩを自動的に設定するという効果を有し、特定のＲＯＩの内部の領域にのみ特別な処理を行う超音波診断装置として有用である。
【図面の簡単な説明】
【００２４】
【図１】本発明の第１の実施の形態における超音波診断装置のブロック図
【図２】本発明の第１の実施の形態におけるＲＯＩ設定方法の説明図
【図３】従来の超音波診断装置におけるＲＯＩ設定方法の説明図
【符号の説明】
【００２５】
１００  超音波診断装置
１０１  タッチパネル付き画像表示部
１０２  ＲＯＩ入力状態切り替え部
１０３  ＲＯＩ入力保持部
１０４  閉曲線構築部
１０５  ＲＯＩ設定部
１０６  ＲＯＩ入力完了条件設定部
２０１  超音波画像
２０２  ＲＯＩ入力曲線データ
２０３  ＲＯＩ入力曲線データをすべて含む閉曲線
２０４  設定されたＲＯＩ
３０１  初期状態のＲＯＩ
３０２  初期状態から拡大縮小および位置の移動を行ったＲＯＩ
【図１】
2009285244.tif 000003
【図２】
2009285244.tif 000004
【図３】
2009285244.tif 000005